(57)【要約】      （修正有）【課題】蜂の針の長さより厚い空隙を形成した厚みのある素材で、しかも軽量で通気性や放熱性に優れ、蜂が止まりにくい素材で構成することにより、蜂に刺されることを防止した蜂防護服を提供する。【解決手段】白色系の繊維で編成された表地と裏地とを離間して配置し、表地５を光が乱反射するメッシュ状に形成して、裏地との間を連結糸でつないで蜂２０の針２３が貫通しない厚さの立体編物シートを裁断縫製してブルゾンとズボンを形成し、前記ブルゾンの肩部は、蜂２０の針２３が貫通しない強度の生地の表面に、アルミニウムを表面にコーティングしたメタリック布で形成されている。【選択図】図６
0003133428.tif 000002
【実用新案登録請求の範囲】
【請求項１】
白色系の繊維で編成された表地と裏地とを離間して配置し、表地を光が乱反射するメッシュ状に形成して、前記裏地との間を連結糸でつないで蜂の針が貫通しない厚さの立体編物シートを裁断縫製してブルゾンとズボンを形成し、前記ブルゾンの少なくとも肩部は、蜂の針が貫通しない強度の生地の表面に、銀白色の金属を表面にコーティングしたメタリック布で形成されていることを特徴とする蜂防護服。
【請求項２】
銀白色の金属がアルミニウムで形成されていることを特徴とする請求項１記載の蜂防護服。
【請求項３】
裏地がメッシュ状に形成されていることを特徴とする請求項１記載の蜂防護服。
【考案の詳細な説明】
【技術分野】
【０００１】
本考案は、蜂に刺されないために着用する蜂防護服に関するものである。
【背景技術】
【０００２】
山中の送電線の点検作業や樹木の伐採作業をおこなっていると、蜂に刺されることがある。近年は作業中に蜂に刺される労働災害が多発しており、特にスズメバチの毒は強烈で、死に至る危険性もある。その対策として既製品の硬い材質の生地で作った消防服のような物理的に針を通さない素材で作られたものを着用して作業していた。しかしながら、柔軟性や通気性が乏しく重量も重いので、作業性が悪く、蒸されてしまうので夏期に屋外で長時間にわたって作業すると熱中症になる危険性があった。
【０００３】
また、表地と裏地との間にフェルト製のスペース材を配置して、蜂の針の長さより厚い空隙を設けた生地で作成した蜂防護服も提案されている（特許文献１，特許文献２）。しかしながら、表地が織布で形成されているので通気性や熱の放散性が悪く、内部に熱がこもって蒸れる問題があり、長時間作業することができなかった。
【特許文献１】特開平７−１０２４０１号公報
【特許文献２】特開２００２−３３９１２０号公報
【考案の開示】
【考案が解決しようとする課題】
【０００４】
本考案は上記問題を改善し、蜂の針の長さより厚い空隙を形成した厚みのある素材で、しかも軽量で通気性や放熱性に優れ、蜂が止まりにくい素材で構成することにより、蜂に刺されることを防止した蜂防護服を提供するものである。
【課題を解決するための手段】
【０００５】
本考案の請求項１記載の蜂防護服は、白色系の繊維で編成された表地と裏地とを離間して配置し、表地を光が乱反射するメッシュ状に形成して、前記裏地との間を連結糸でつないで蜂の針が貫通しない厚さの立体編物シートを裁断縫製してブルゾンとズボンを形成し、前記ブルゾンの少なくとも肩部は、蜂の針が貫通しない強度の生地の表面に、銀白色の金属を表面にコーティングしたメタリック布で形成されていることを特徴とするものである。
【０００６】
本考案の請求項２記載の蜂防護服は、請求項１において、銀白色の金属がアルミニウムで形成されていることを特徴とするものである。更に本考案の請求項３記載の蜂防護服は、請求項１において裏地がメッシュ状に形成されていることを特徴とするものである。
【考案の効果】
【０００７】
本考案に係る請求項１記載の蜂防護服によれば、白色系の立体編物シートで形成されているので蜂が近付きにくく、また寄って来ても表地がメッシュ状をなす白色系の繊維で形成されているので、光が乱反射して対象物が見えにくく、蜂がメッシュ状の表地に止まっても、クッション性があって体を保持しにくい。また脚や針がメッシュの間隙に入ると、多数の連結糸が間隔をおいて厚さ方向に配置されているので、連結糸に絡んで動かせなくなって歩くことができず、針が万一、立体編物シートを貫通しても、これは厚さが蜂の針が貫通しない厚さのものを使用するので肌まで達しない。
【０００８】
また立体編物シートは、表地がメッシュ状で間隙があり、また細い連結糸の繊維間隔が広く空隙率が大きいので通気性に優れ、体温が効率よく発散し、しかもメッシュ状に形成した表地は間隙が形成されて凹凸があるので表面積が広く、放熱性に優れ、発汗しても乾き易く、夏期の作業でも体温の上昇を抑えることができる。
【０００９】
ブルゾンの肩部は最も蜂に刺され易い部分であるので、少なくとも肩部は蜂の針が貫通しない強度の生地の表面に、銀白色の金属をコーティングしたメタリック布で形成することにより、光が表面のコーティング層で乱反射して対象物が見えにくく、蜂の針の貫通を防止することができる。更に作業者が機材を担いだり、伐採工具や草刈り工具に取付けた肩掛けバンドを掛けて作業する場合に、耐摩耗性や耐久性に優れている。
【００１０】
また請求項２記載の蜂防護服によれば、メタリック布の表面にコーティングした銀白色の金属がアルミニウムで形成されているので、これは消防の防火服として使用されている生地で、光が乱反射し易い上、可撓性に優れて作業し易く、しかも容易に入手することができる。
【００１１】
また請求項３記載の蜂防護服によれば、表地と同様に裏地もメッシュ状に形成されているので、更に通気性に優れて、体温上昇を抑えることができる。
【考案を実施するための最良の形態】
【００１２】
以下本考案の実施の一形態を図１ないし図６を参照して詳細に説明する。図において１は蜂防護服を示すもので、２はブルゾン、３はズボンであり、ブルゾン２とズボン３は立体編物シート４を裁断縫製して形成されている。この立体編物シート４は図４ないし図６に示すように、斜めクロスのメッシュ状に形成した白色系の表地５と白色系のシート状の裏地６とを離間して配置し、この間を白色系の連結糸７でつないだ厚さが例えば６ｍｍ以上の蜂２０の針２３が貫通しない厚さのもので、例えばポリエステル繊維で形成されている。
【００１３】
この立体編物シート４は、光が乱反射するメッシュ状の表地５と裏地６との間に多数の繊維が間隔をおいて厚さ方向に配置された厚みを持った編物で、空隙率が大きく通気性に優れていると共に、厚み方向には強い弾力性を有し、軽くてクッション性に富むものである。
【００１４】
またブルゾン２は図２に示すように、肩部１０と腰回り部１１が例えば厚手の生地の表面にアルミニウムをコーティングしたメタリック布９で形成され、蜂の針が貫通しない強度を有するものである。また襟部１２と袖口部１３は、例えばナイロンで形成され、袖口部１３の外周にはテープ状の面ファスナー１５が取付けられ、袖口を絞って固定できるようになっている。この他の部分は、立体編物シート４で形成されている。
【００１５】
またズボン３は図３に示すように、腰回り部１６と裾口部１７が、例えばナイロンで形成され、裾口部１７の外周にはテープ状の面ファスナー１５が取付けられ、袖口を絞って固定できるようになっている。この他の部分は、立体編物シート４で形成されている。
【００１６】
上記構成の蜂防護服は、下着の上から先ずズボン３を履き、裾口部１７の外周に取付けた面ファスナー１５で裾を絞って固定する。次にブルゾン２を着て、袖口部１３の外周に取付けた面ファスナー１５で、両手首の袖口を絞って固定する。この後、図１に示すように蜂よけネット１８を被って作業する。
【００１７】
この立体編物シート４で形成した蜂防護服１は、肩部１０と腰回り部１１を除いた大部分が光が乱反射するメッシュ状の表地５で形成されているので、蜂２０が近付きにくい。万一、寄って来ても立体編物シート４で形成されている部分には、蜂２０が表地５に止まりにくい。この一つの理由は立体編物シート４の表地５が図５に示すようにメッシュ状をなす白色系の繊維で形成されているので、光が乱反射し蜂２０にとって対象物が見えにくい構造となっているからであると思われる。
【００１８】
また図６に示すように、蜂２０がメッシュ状の表地５に止まっても、クッション性があって、口２１や脚２２で掴みにくいので体を保持しにくい。また脚２２が斜めクロスのメッシュの間隙１９に入ると、多数の連結糸７が間隔をおいて厚さ方向に配置されているので、脚２２が連結糸７に絡んで動かせなくなり、同様に針２３が入っても繊維に絡んで動かせなくなる。実験によると立体編物シート４を反転させたシート状の裏地６の上を蜂２０は歩くが、メッシュ状に形成した表地５の上では歩くことができなかった。
【００１９】
また図６に示すように蜂２０の針２３が万一、立体編物シート４を貫通しても、これは厚さＬ１ が例えば６ｍｍ以上で、下着２４の厚さ約１ｍｍで合計の厚さＬ２ が７ｍｍ以上確保でき、しかも弾力（クッション）があるので、肌まで達しない。
【００２０】
また立体編物シート４は、表地５がメッシュ状で間隙１９があり、また細い連結糸７の繊維間隔が広く空隙率が大きいので通気性に優れ、体温が効率よく発散し、しかもメッシュ状に形成した表地５は間隙１９が形成されて凹凸があるので表面積が広く、放熱性に優れ、また素材がポリエステルやナイロンなので発汗しても乾きやすく、夏期の作業でも体温の上昇を抑えることができる。
【００２１】
なお図１に示すように、蜂２０が寄ってくる肩部１０と腰回り部１１は、表面にアルミニウムをコーティングして光が乱反射し、蜂２０の針２３が貫通しない厚手のメタリック布９で形成されている。メタリック布９は通気性が悪いが特に肩部１０は蜂２０が最も寄って来て、刺され易い部分であるので効果的である。しかも肩部１０は、作業者が機材を担いだり、伐採や草刈りの工具に取付けた肩掛けバンドを掛けて作業する場合に、耐摩耗性や耐久性などの強度に優れている。またブルゾン２の袖口部１３には面ファスナー１５が取付けられ、袖口を絞って固定できるのでここからの侵入も防止することができる。
【００２２】
本考案の蜂防護服１を着て、作業前の気温２８℃で、湿度が７５％の日中に、３０分間移動や準備をした後、刈り払い作業を３０分行ない、この後２０分休憩した後、再度刈り払い作業を３０分した。作業後の気温３０℃で、湿度が８０％であった。作業者の、着用前と作業後の体温の上昇を比較したところ０．８℃であった。この後３０分休憩した後、再度、体温を測定したところ、体温上昇は０．４℃であった。また比較のために、別の作業者が雨合羽を着て同様の作業と休憩を行ない、着用前と作業後の体温上昇を測定したところ１．５℃で、休憩後の体温上昇は１．３℃であった。
【００２３】
また蜂防護服１はブルゾン２とズボン３に分離しているので、作業の途中で休憩する場合も着脱が容易である。また蜂防護服１の素材はポリエステルやナイロンなので洗濯が可能であり脱水するとほぼ乾いた状態になるので、汚れたら頻繁に洗濯することができる。
【００２４】
なお上記説明では、裏地６をシート状に形成した場合について示したが、表地５と同様にメッシュ状に形成した立体編物シート４を用いても良い。この構造では、表地５と裏地６が共にメッシュ状に形成されているので、更に通気性に優れている。
【図面の簡単な説明】
【００２５】
【図１】本考案の実施の一形態による蜂防護服を着用した正面図である。
【図２】図１のブルゾンを示す正面図である。
【図３】図１のズボンを示す正面図である。
【図４】立体編物シートを示す断面図である。
【図５】立体編物シートを示す平面である。
【図６】立体編物シートの上に蜂が止まっている状態を示す断面図である。
【符号の説明】
【００２６】
１    蜂防護服                                              
２    ブルゾン                                              
３    ズボン                                                
４    立体編物シート                                        
５    表地                                                  
６    裏地                                                  
７    連結糸                                                
９    メタリック布
１０  肩部                                                  
１１  腰回り部                                              
１２  襟部                                                  
１３  袖口部                                                
１５  面ファスナー                                          
１６  腰回り部                                              
１７  裾口部                                                
１８  蜂よけネット                                          
１９  間隙                                                  
２０  蜂                                                    
２１  口                                                    
２２  脚                                                    
２３  針                                                    
２４  下着                                                  
【図１】
0003133428.tif 000003
【図２】
0003133428.tif 000004
【図３】
0003133428.tif 000005
【図４】
0003133428.tif 000006
【図５】
0003133428.tif 000007
【図６】
0003133428.tif 000008